(57)【要約】【課題】  本発明は、ファイル管理装置、ファイル管理方法、ファイル管理方法のプログラム及びファイル管理方法のプログラムを記録した記録媒体に関し、例えば光ディスク装置に適用して、多数の静止画ファイルを管理する場合にあっても、エントリ数の極端な増大を防止することができるようにする。【解決手段】  本発明は、ファイルの抜粋情報によるエントリの連続によるインデックスファイルにおいて、複数の静止画ファイルを１つのムービーファイルにまとめてインデックスファイルに登録し直す。【選択図】        図１
2005115709.tif 000002
【特許請求の範囲】
【請求項１】
記録媒体に記録されたファイルを管理するファイル管理装置において、
前記記録媒体は、
前記ファイルと対応付けられた前記ファイルに係る抜粋情報のブロックによるエントリの連続によるインデックスファイルが記録され、
前記ファイル管理装置は、
前記インデックスファイルの整理の処理により、
前記記録媒体に記録された複数の静止画ファイルを１つのファイルにまとめてなるムービーファイルを形成すると共に、
前記ムービーファイルにまとめた前記複数の静止画ファイルに係る前記インデックスファイルのエントリを削除し、前記ムービーファイルの抜粋情報によるエントリを前記インデックスファイルに登録する
ことを特徴とするファイル管理装置。
【請求項２】
前記ムービーファイルが、
前記記録媒体に記録された前記複数の静止画ファイルを参照して対応する静止画による画像を提供する外部参照形式によるファイルであり、
前記ファイル管理装置は、
前記複数の静止画ファイルを指し示すように設定して前記ムービーファイルを作成する
ことを特徴とする請求項１に記載のファイル管理装置。
【請求項３】
前記ムービーファイルが、
前記複数の静止画ファイルに係る画像データによる実データを有し、該実データにより対応する静止画による画像を提供する自己内包形式のファイルであり、
前記ファイル管理装置は、
前記複数の静止画ファイルから前記画像データを順次取得して前記ムービーファイルを作成し、
前記ムービーファイルにまとめた前記複数の静止画ファイルに係る前記インデックスファイルのエントリを削除する際に、併せて前記複数の静止画ファイルを削除する
ことを特徴とする請求項１に記載のファイル管理装置。
【請求項４】
前記インデックスファイルは、
前記抜粋情報の属性毎に、前記抜粋情報がグループ化されて、前記静止画ファイルのサムネイル画像のエントリによるサムネイル画像エントリが設けられ、
前記ファイル管理装置は、
前記インデックスファイルから前記複数の静止画ファイルの前記サムネイル画像のデータを取得して、前記静止画ファイルと対応付けして、該サムネイル画像のデータによる実データのグループを前記ムービーファイルに形成し、
前記インデックスファイルに登録された前記複数の静止画ファイルに係るサムネイル画像のエントリを削除する
ことを特徴とする請求項２に記載のファイル管理装置。
【請求項５】
前記インデックスファイルは、
前記抜粋情報の属性毎に、前記抜粋情報がグループ化されて、前記静止画ファイルのサムネイル画像のエントリによるサムネイル画像エントリが設けられ、
前記ファイル管理装置は、
前記インデックスファイルから前記複数の静止画ファイルの前記サムネイル画像のデータを取得して、前記画像データと対応付けして、該サムネイル画像のデータの連続による実データのグループを前記ムービーファイルに形成し、
前記インデックスファイルに登録された前記複数の静止画ファイルに係るサムネイル画像のエントリを削除する
ことを特徴とする請求項３に記載のファイル管理装置。
【請求項６】
前記インデックスファイルは、
前記抜粋情報の属性毎に、前記抜粋情報がグループ化されて、前記静止画ファイルのタイトルのエントリによるテキストエントリが形成され、
前記ファイル管理装置は、
前記インデックスファイルから前記複数の静止画ファイルの前記タイトルのデータを取得して、前記静止画ファイルと対応付けして、該タイトルのデータによる実データのグループを前記ムービーファイルに形成し、
前記インデックスファイルに登録された前記複数の静止画ファイルに係るタイトルのエントリを削除する
ことを特徴とする請求項２に記載のファイル管理装置。
【請求項７】
前記インデックスファイルは、
前記抜粋情報の属性毎に、前記抜粋情報がグループ化されて、前記静止画ファイルのタイトルのエントリによるテキストエントリが形成され、
前記ファイル管理装置は、
前記インデックスファイルから前記複数の静止画ファイルの前記タイトルのデータを取得して、前記画像データと対応付けして、該タイトルのデータによる実データのグループを前記ムービーファイルに形成し、
前記インデックスファイルに登録された前記複数の静止画ファイルに係るタイトルのエントリを削除する
ことを特徴とする請求項３に記載のファイル管理装置。
【請求項８】
前記インデックスファイルの整理の処理に係る前記複数の静止画ファイルが、特定のフォルダに属する静止画ファイルである
ことを特徴とする請求項１に記載のファイル管理装置。
【請求項９】
前記インデックスファイルにおけるエントリの数を判定し、該判定結果により前記インデックスファイルの整理の処理を実行する
ことを特徴とする請求項１に記載のファイル管理装置。
【請求項１０】
前記インデックスファイルにおけるエントリの数を判定し、該判定結果をユーザーに通知して得られる前記ユーザーの指示により前記インデックスファイルの整理の処理を実行する
ことを特徴とする請求項１に記載のファイル管理装置。
【請求項１１】
静止画ファイルの再登録の処理により、
前記ムービーファイルの抜粋情報による前記インデックスファイルのエントリを削除すると共に、前記ムービーファイルによりまとめられた前記複数の静止画ファイルの抜粋情報によるエントリを前記インデックスファイルにそれぞれ登録する
ことを特徴とする請求項１に記載のファイル管理装置。
【請求項１２】
記録媒体に記録されたファイルを管理するファイル管理方法において、
前記記録媒体は、
前記ファイルと対応付けられた前記ファイルに係る抜粋情報のブロックによるエントリの連続によるインデックスファイルが記録され、
前記ファイル管理方法は、
前記インデックスファイルの整理の処理により、
前記記録媒体に記録された複数の静止画ファイルを１つのファイルにまとめてなるムービーファイルを形成すると共に、
前記ムービーファイルにまとめた複数の静止画ファイルに係る前記インデックスファイルのエントリを削除し、前記ムービーファイルの抜粋情報によるエントリを前記インデックスファイルに登録する
ことを特徴とするファイル管理方法。
【請求項１３】
コンピュータに所定の処理手順を実行させることにより、記録媒体に記録されたファイルを管理するファイル管理方法のプログラムにおいて、
前記記録媒体は、
前記ファイルと対応付けられた前記ファイルに係る抜粋情報のブロックによるエントリの連続によるインデックスファイルが記録され、
前記処理手順は、
前記記録媒体に記録された複数の静止画ファイルを１つのファイルにまとめてなるムービーファイルを形成すると共に、
前記ムービーファイルにまとめた複数の静止画ファイルに係る前記インデックスファイルのエントリを削除し、前記ムービーファイルの抜粋情報によるエントリを前記インデックスファイルに登録する前記インデックスファイルの整理の処理ステップを有する
ことを特徴とするファイル管理方法のプログラム。
【請求項１４】
コンピュータに所定の処理手順を実行させることにより、記録媒体に記録されたファイルを管理するファイル管理方法のプログラムを記録した記録媒体において、
前記記録媒体は、
前記ファイルと対応付けられた前記ファイルに係る抜粋情報のブロックによるエントリの連続によるインデックスファイルが記録され、
前記処理手順は、
前記記録媒体に記録された複数の静止画ファイルを１つのファイルにまとめてなるムービーファイルを形成すると共に、
前記ムービーファイルにまとめた複数の静止画ファイルに係る前記インデックスファイルのエントリを削除し、前記ムービーファイルの抜粋情報によるエントリを前記インデックスファイルに登録する前記インデックスファイルの整理の処理ステップを有する
ことを特徴とするファイル管理方法のプログラムを記録した記録媒体。
【発明の詳細な説明】
【技術分野】
【０００１】
本発明は、ファイル管理装置、ファイル管理方法、ファイル管理方法のプログラム及びファイル管理方法のプログラムを記録した記録媒体に関し、例えば光ディスク装置に適用することができる。本発明は、ファイルの抜粋情報によるエントリの連続によるインデックスファイルにおいて、複数の静止画ファイルを１つのムービーファイルにまとめてインデックスファイルに登録し直すことにより、多数の静止画ファイルを管理する場合にあっても、エントリ数の極端な増大を防止することができるようにする。
【背景技術】
【０００２】
近年、光ディスク等のランダムアクセス可能な大容量の記録媒体を用いて、撮像結果を記録するディスク装置等が提案されるようになされている。
【０００３】
このようなディスク装置に関して、例えば特開２００１−８４７０５号公報においては、記録媒体に記録した多数のファイルよりインデックスファイルを作成してこの記録媒体に記録することにより、このインデックスファイルを用いてこれら多数のファイルに係る操作性を向上する方法が提案されるようになされている。
【０００４】
また特開２００２−２７８９９６号公報においては、このようにして作成したインデックスファイルにおいて、各ファイルを階層化して管理することにより、さらに一段とこれら多数のファイルに係る操作性を向上する方法が提案されるようになされている。
【０００５】
これらに提案のインデックスファイルにおいては、例えば管理対象ファイルが映像コンテンツに係るファイルの場合、各管理対象ファイルの属性よりプロパティデータが作成され、このプロパティデータによるエントリの連続によりプロパティエントリファイルが作成される。また各管理対象ファイルよりそれぞれサムネイル画像が作成され、このサムネイル画像によるエントリの連続によりサムネイル画像エントリファイルが作成される。また個々のプロパティエントリには、対応するサムネイル画像エントリを指し示すインデックスが記録される。これによりインデックスファイルは、管理対象ファイルが映像コンテンツのファイルの場合、サムネイル画像エントリファイルに記録されたサムネイル画像を表示して記録媒体に記録された多数の映像コンテンツをユーザーに紹介することができるようになされ、またプロパティエントリファイルの記録に基づいて、このようにして紹介した映像コンテンツよりユーザーの選択したサムネイル画像の映像コンテンツをユーザーに提供できるようになされている。
【０００６】
ところで静止画ファイルにあっては、動画ファイルに比してデータ量が格段的に小さいことにより、動画ファイルを記録する場合に比して、１つの記録媒体に記録するファイル数が格段的に増大することが予測され、これによりインデックスファイルにおけるエントリ数も極端に増大する問題がある。
【０００７】
これに対してインデックスファイルにおいては、このようにエントリ数が極端に増大すると、その分、インデックスファイルのデータ量が増大することにより処理に時間を要するようになる。またエントリ数の増大により、インデックスファイルのエントリ数の上限規定に達したり、あるいはこの記録媒体を他の装置に装着した場合に、この装置のアプリケーションによってはインデックスファイルを処理することが困難になりったりする理由により、記録媒体に十分な空き領域が存在するにも係わらず、インデックスファイルにより管理可能に所望するファイルを記録できなくなる恐れがある。
【特許文献１】特開２００１−８４７０５号公報
【特許文献２】特開２００２−２７８９９６号公報
【発明の開示】
【発明が解決しようとする課題】
【０００８】
本発明は以上の点を考慮してなされたもので、多数の静止画ファイルを管理する場合にあっても、エントリ数の極端な増大を防止することができるファイル管理装置、ファイル管理方法、ファイル管理方法のプログラム及びファイル管理方法のプログラムを記録した記録媒体を提案しようとするものである。
【課題を解決するための手段】
【０００９】
かかる課題を解決するため請求項１の発明においては、記録媒体に記録されたファイルを管理するファイル管理装置に適用して、インデックスファイルの整理の処理により、記録媒体に記録された複数の静止画ファイルを１つのファイルにまとめてなるムービーファイルを形成すると共に、ムービーファイルにまとめた複数の静止画ファイルに係るインデックスファイルのエントリを削除し、ムービーファイルの抜粋情報によるエントリをインデックスファイルに登録する。
【００１０】
また請求項１２の発明においては、記録媒体に記録されたファイルを管理するファイル管理方法に適用して、インデックスファイルの整理の処理により、記録媒体に記録された複数の静止画ファイルを１つのファイルにまとめてなるムービーファイルを形成すると共に、ムービーファイルにまとめた複数の静止画ファイルに係るインデックスファイルのエントリを削除し、ムービーファイルの抜粋情報によるエントリをインデックスファイルに登録する。
【００１１】
また請求項１３の発明においては、コンピュータに所定の処理手順を実行させることにより、記録媒体に記録されたファイルを管理するファイル管理方法のプログラムに適用して、処理手順は、記録媒体に記録された複数の静止画ファイルを１つのファイルにまとめてなるムービーファイルを形成すると共に、ムービーファイルにまとめた複数の静止画ファイルに係るインデックスファイルのエントリを削除し、ムービーファイルの抜粋情報によるエントリをインデックスファイルに登録するインデックスファイルの整理の処理ステップを有するようにする。
【００１２】
また請求項１４の発明おいては、コンピュータに所定の処理手順を実行させることにより、記録媒体に記録されたファイルを管理するファイル管理方法のプログラムを記録した記録媒体に適用して、処理手順は、記録媒体に記録された複数の静止画ファイルを１つのファイルにまとめてなるムービーファイルを形成すると共に、ムービーファイルにまとめた複数の静止画ファイルに係るインデックスファイルのエントリを削除し、ムービーファイルの抜粋情報によるエントリをインデックスファイルに登録するインデックスファイルの整理の処理ステップを有するようにする。
【００１３】
請求項１の構成により、記録媒体に記録されたファイルを管理するファイル管理装置に適用して、インデックスファイルの整理の処理により、記録媒体に記録された複数の静止画ファイルを１つのファイルにまとめてなるムービーファイルを形成すると共に、ムービーファイルにまとめた複数の静止画ファイルに係るインデックスファイルのエントリを削除し、ムービーファイルの抜粋情報によるエントリをインデックスファイルに登録すれば、複数の静止画ファイルを１つのムービーファイルにまとめた分、インデックスファイルにおけるエントリ数を少なくすることができ、これにより多数の静止画ファイルを管理する場合にあっても、エントリ数の極端な増大を防止することができる。
【００１４】
これにより請求項１２、請求項１３、請求項１４の構成によれば、多数の静止画ファイルを管理する場合にあっても、エントリ数の極端な増大を防止することができるファイル管理方法、ファイル管理方法のプログラム、ファイル管理方法のプログラムを記録した記録媒体を提供することができる。
【発明の効果】
【００１５】
本発明によれば、多数の静止画ファイルをインデックスファイルにより管理する場合にあっても、エントリ数の極端な増大を防止することができる。
【発明を実施するための最良の形態】
【００１６】
以下、適宜図面を参照しながら本発明の実施例を詳述する。
【実施例１】
【００１７】
（１）実施例の構成
（１−１）光ディスク装置の構成
図１は、本発明の実施例に係る光ディスク装置を示すブロック図である。この光ディスク装置１においては、図示しない撮像手段、音声取得手段により被写体の映像信号、音声信号を取得し、この映像信号及び音声信号による撮像結果を光ディスク２に記録する。またこの光ディスク２に記録した撮像結果を再生して液晶表示パネルによる表示手段、スピーカによる音声出力手段より出力し、また外部機器に出力する。この光ディスク装置１では、システム制御マイコン１９による制御によりこの撮像結果を動画又は静止画により音声信号と共に取得し、動画による撮像結果については、ＭＰＥＧ（Moving Picture Experts Group）のフォーマットによりデータ圧縮した後、音声信号と共に所定のファイル形式により光ディスク２に記録するようになされている。これに対して静止画については、ＪＰＥＧ（Joint Photographic Coding Experts Group ）のフォーマットによりデータ圧縮した後、音声信号と共に所定のファイル形式により光ディスク２に記録するようになされている。この実施例では、このファイル形式にQuick Time（以下、「ＱＴ」と呼ぶ）が適用されるようになされている。
【００１８】
これにより光ディスク装置１において、ビデオ符号器１１は、撮像結果による映像信号をアナログディジタル変換処理して画像データを生成し、この画像データをＭＰＥＧのフォーマットに従って、又はＪＰＥＧのフォーマットに従って符号化処理し、これにより画像データによる符号化データを出力する。
【００１９】
またオーディオ符号器１２は、撮像結果による音声信号をアナログディジタル変換処理して音声データを生成し、この音声データを符号化処理し、これにより音声データによる符号化データを出力する。
【００２０】
ファイル生成器１５は、記録時、ビデオ符号器１１及びオーディオ符号器１２から出力される符号化データを多重化処理し、システム制御マイコン１９の制御により出力する。メモリコントローラ１８は、システム制御マイコン１９の制御により動作を切り換え、記録時、このファイル生成器１５から出力されるデータ列、システム制御マイコン１９から出力される各種データをメモリ１７に順次記録して一時保持し、続くエラー訂正符号／復号器２１の処理に対応して保持したデータを出力する。また再生時、これとは逆に、エラー訂正符号／復号器２１の出力データを一時保持し、ファイル復号器１６、システム制御マイコン１９に出力する。
【００２１】
エラー訂正符号／復号器２１は、システム制御マイコン１９の制御により動作を切り換え、記録時、メモリコントローラ１８の出力データをメモリ２０に一時記録して誤り訂正符号を付加する。またこのようにしてメモリに保持したデータを所定順序により読み出して出力することにより、これらのデータをインターリーブ処理してデータ変復調器２３に出力する。またエラー訂正符号／復号器２１は、再生時、記録時とは逆に、データ変復調器２３から出力されるデータを所定順序によりメモリ２０に一時記録してメモリコントローラ１８に出力することにより、このデータ変復調器２３から出力されるデータをデインターリーブ処理して出力する。またこのとき、記録時に付加した誤り訂正符号により誤り訂正処理する。
【００２２】
データ変復調器２３は、システム制御マイコン１９の制御により動作を切り換え、記録時、エラー訂正符号／復号器２１の出力データをシリアルデータ列に変換した後、変調処理して磁界変調ドライバ２４又は光ピックアップ３３に出力する。また再生時、光ピックアップ３３から出力される再生信号からクロックを再生し、このクロックを基準にして再生信号を２値識別、復調処理することにより、記録時に生成したシリアルデータ列に対応する再生データを得、この再生データをエラー訂正符号／復号器２１に出力する。
【００２３】
磁界変調ドライバ２４は、光ディスク２が光磁気ディスクの場合、記録時、システム制御マイコン１９の制御により、データ変復調器２３の出力信号により磁界ヘッド３２を駆動する。ここで磁界ヘッド３２は、光ディスク２を間に挟んで光ピックアップ３３に対向するように保持され、光ピックアップ３３によるレーザービーム照射位置にデータ変復調器２３の出力データに応じた変調磁界を印加する。これによりこの光ディスク装置１では、光ディスク２が光磁気ディスクの場合、熱磁気記録の手法により光ディスク２に撮像結果等を記録するようになされている。
【００２４】
かくするにつき光ディスク２は、ディスク状記録媒体であり、この実施例では、光磁気ディスク（ＭＯ：Magneto-Optical Disk）、相変化型ディスク等の書き換え可能な光ディスクである。スピンドルモータ３１は、この光ディスク２をサーボ回路３０の制御により、光ディスク２に応じて線速度一定（ＣＬＶ：Constant Linear Velocity）、角速度一定（ＣＡＶ、Constant Angular Velocity）、ゾーンＣＬＶ（ＺＣＬＶ：Zone Constant Linear Velocity ）等の条件により光ディスク２を回転駆動する。
【００２５】
サーボ回路３０は、光ピックアップ３３から出力される各種信号に基づいて、スピンドルモータ３１の動作を制御し、これによりスピンドル制御の処理を実行する。またサーボ回路３０は、同様にして光ピックアップ３３をトラッキング制御、フォーカス制御し、また光ピックアップ３３、磁界ヘッド３２をシークさせ、さらにはフォーカスサーチ等の処理を実行する。
【００２６】
ドライブ制御マイコン２２は、システム制御マイコン１９の指示により、これらサーボ回路３０におけるシーク等の動作を制御する。
【００２７】
光ピックアップ３３は、光ディスク２にレーザービームを照射してその戻り光を所定の受光素子により受光し、受光結果を演算処理することにより、各種制御用の信号を生成して出力し、また光ディスク２に形成されたピット列、マーク列に応じて信号レベルが変化する再生信号を出力する。また光ピックアップ３３は、システム制御マイコン１９の制御により動作を切り換え、光ディスク２が光磁気ディスクの場合、記録時、光ディスク２に照射するレーザービームの光量を間欠的に立ち上げる。これによりこの光ディスク装置１では、いわゆるパルストレイン方式により光ディスク２に撮像結果等を記録するようになされている。また光ピックアップ３３は、光ディスク２が相変化型ディスク等の場合、データ変復調器２３の出力データに応じて光ディスク２に照射するレーザービームの光量を再生時の光量から書き込み時の光量に立ち上げ、これにより熱記録の手法を適用して光ディスク２に撮像結果等を記録するようになされている。
【００２８】
これらによりこの光ディスク装置１では、撮像結果による映像信号及び音声信号をビデオ符号器１１、オーディオ符号器１２によりデータ圧縮した後、ファイル生成器１５によりＱＴムービーファイルに変換し、メモリコントローラ１８、エラー訂正符号／復号器２１、データ変復調器２３を順次介して、光ピックアップ３３により、又は光ピックアップ３３及び磁界ヘッド３２によりこのＱＴムービーファイルのデータ、インデックスファイルのデータ等を光ディスク２に記録するようになされている。
【００２９】
また光ディスク装置１では、光ピックアップ３３より得られる再生信号をデータ変復調器２３により処理して再生データを得、この再生データをエラー訂正符号／復号器２１で処理して、光ディスク２に記録したＱＴムービーファイル、インデックスファイル等を再生できるようになされ、これらＱＴムービーファイル、インデックスファイル等をメモリコントローラ１８から出力するようになされている。
【００３０】
ファイル復号器１６は、メモリコントローラ１８から出力されるＱＴムービーファイルのデータを入力し、このデータを画像データ及び音声データの符号化データに分解して出力する。ビデオ復号器１３は、この画像データの符号化データをデコードして図示しない表示手段、外部機器に出力する。オーディオ復号器１４は、ファイル復号器１６から出力される音声データの符号化データをデータ伸長し、図示しない音声出力手段、外部機器に出力する。これによりこの光ディスク装置１では、光ディスク２から再生した撮像結果をモニタし得るようになされている。
【００３１】
なお、光ディスク装置１は、コンピュータ等の外部機器を接続するインターフェースを有し、これにより撮像結果に代えてコンピュータの出力データを光ディスク２に記録し、また光ディスク２に記録したファイルを再生してコンピュータで処理できるようになされている。
【００３２】
操作部２６は、この光ディスク装置１の各種操作子、液晶表示パネルに配置されたタッチパネルにより構成され、ユーザーによる各種操作をシステム制御マイコン１９に通知する。
【００３３】
システム制御マイコン１９は、この光ディスク装置１全体の動作を制御するコンピュータであり、図示しないメモリに記録された所定の処理プログラムの実行により、光ディスク２の装填が検出されると、光ピックアップ３３を光ディスク２の最内周にシークさせ、光ディスク２に係るファイル管理システムの管理情報を再生する。さらにシステム制御マイコン１９は、この再生した管理情報をメモリコントローラ１８から取得し、内蔵のメモリに保持する。これによりシステム制御マイコン１９は、光ディスク２に記録された各ファイルのアドレス、空き領域を検出するようになされている。
【００３４】
このシステム制御マイコン１９に係る処理プログラムにおいては、事前のインストールにより提供されるものの、これに代えてネットワークを介してダウンロードしてインストールするようにしてもよく、また記録媒体により再生してインストールするようにしてもよい。ちなみに、このような記録媒体においては、光ディスク、磁気テープ、メモリカード等、種々の記録媒体を広く適用することができる。
【００３５】
またシステム制御マイコン１９は、このようにして取得した管理情報を検索して、光ディスク２にインデックスファイルが記録されている場合、このインデックスファイルの記録位置に光ピックアップ３３をシークさせ、このインデックスファイルを再生する。またメモリコントローラ１８よりこの再生したインデックスファイルを取得し、内蔵のメモリに記録して保持する。これによりこの実施例では、このインデックスファイルを利用して光ディスク２に記録されたファイルの処理に関して全体の操作性を向上するようになされている。
【００３６】
すなわちシステム制御マイコン１９は、ユーザーの操作に応動して、このインデックスファイルによりモニタ用の液晶表示パネルにサムネイル画像等を表示することにより光ディスク２に記録されたＱＴムービーファイルの内容を紹介し、またこの紹介によりユーザーによるファイルの選択を受け付け、対応する管理情報によりこのユーザーにより選択されたファイルを再生するように全体の動作を制御する。これによりこの光ディスク装置１では、動画、静止画による撮像結果を音声信号と共にユーザーに提供するようになされている。
【００３７】
またユーザーによる撮像結果の記録が指示されると、管理情報により空き領域を検出して光ピックアップ３３をこの空き領域にシークさせ、順次得られる撮像結果を光ディスク２に記録する。またこの撮像結果の記録によるＱＴムービーファイルの記録に対応するように、メモリに保持した管理情報を更新し、光ディスク２の排出時等において、この更新した管理情報により光ディスク２の管理情報を更新する。なおこの管理情報の更新においては、メモリに保持して更新した管理情報をメモリコントローラ１８を介してエラー訂正符号／復号器２１に出力することにより実行される。
【００３８】
これらの処理において、システム制御マイコン１９は、記録に供するＱＴファイルの生成に必要な各種の情報をファイル生成器１５に出力する。またファイル生成器１５を介してインデックスファイルの生成に必要な情報を取得し、この取得した情報とファイル生成器１５に出力した情報等とにより、新たに光ディスク２に記録するＱＴムービーファイル等について、メモリに保持したインデックスファイルを更新し、管理情報における更新処理と同様にして、このように更新してメモリに保持したインデックスファイルにより光ディスク２に記録されたインデックスファイルを更新する。
【００３９】
またユーザーにより光ディスク２に記録されたファイルの編集が指示されると、この編集の処理に対応するように、記録時と同様にして、メモリに保持したインデックスファイル、管理情報を更新し、このメモリに保持したインデックスファイル、管理情報により光ディスク２のインデックスファイル、管理情報を更新する。
【００４０】
このようにして撮像結果による映像信号及び音声信号を光ディスク２に記録する光ディスク装置１においては、ＱＴムービーファイルを外部参照形式により記録する。すなわち光ディスク装置１においては、映像信号及び音声信号によりそれぞれ映像ファイル、音声ファイルを光ディスク２に記録し、またこれら映像ファイル及び音声ファイルを管理するリソースファイルを光ディスク２に記録し、これによりこれら映像ファイル、音声ファイル、リソースファイルによるＱＴムービーファイルを光ディスク２に記録するようになされている。
【００４１】
（１−２）インデックスファイル
インデックスファイルは、ＱＴムービーファイル等の光ディスク２に記録される各種ファイルと同様に、光ディスク２のファイル管理システムにより、記録位置のアドレス、ファイル名、ファイル長等の再生に必要な情報が管理されるファイルであり、光ディスク２に記録された管理対象であるＱＴムービーファイルの内容を紹介する情報等により構成される。これによりこの光ディスク装置１では、このインデックスファイルにより光ディスク２に記録されたＱＴムービーファイルを選択し、この選択したファイルをファイル管理システムに基づいて光ディスク２から再生することにより、光ディスク２に多数のＱＴムービーファイルが記録されている場合でも、所望するファイルを迅速かつ正確に選択できるようになされ、その分、操作性を向上できるようになされている。
【００４２】
この実施例において、インデックスファイルは、このＱＴムービーファイルの内容を紹介する情報等にＱＴムービーファイルに係る情報を抜粋した情報（すなわち抜粋情報である）等を割り当て、この抜粋情報のブロックによるエントリの連続により形成され、これにより各ＱＴムービーファイルの内容を簡易かつ迅速に把握できるようになされている。
【００４３】
インデックスファイルは、この抜粋情報によるデータ群がその属性毎に分類されてグループ化され、光ディスク２に記録するＱＴムービーファイルと同一のファイル構造により作成され、これによりＱＴムービーファイルを作成する光ディスク装置１の構成を利用して作成し、また処理し得るようになされ、その分、光ディスク装置１では構成を簡略化し得るようになされている。
【００４４】
具体的にインデックスファイルは、ＱＴムービーファイルの構成に対応して図２に示すように、実データに係る抜粋情報がグループ化されてテキストエントリファイルＥ１、サムネイル画像エントリファイルＥ２、プロパティエントリファイルＥ３に割り当てられ、これらをエントリファイルＥ１〜Ｅ３と、これらエントリファイルＥ１〜Ｅ３の管理情報によるリソースファイル（図示せず）とにより構成される。
【００４５】
ここで各エントリファイルＥ１〜Ｅ３は、それぞれ先頭に、各エントリファイルＥ１〜Ｅ３の属性等を示すヘッダＰＨ、ＴＨＨ、ＴＸＨが設けられ、続いて固定長によるスロットによるエントリが連続するように形成される。
【００４６】
ここでテキストエントリファイルＥ１は、ディスクタイトル、各管理対象ファイル等に係るタイトルの文字列を示すデータが順次スロットに割り当てられて、これらタイトルのデータによるエントリの連続により形成される。これに対してサムネイル画像エントリファイルＥ２は、ディスクタイトル、各管理対象ファイルの内容を示す静止画像によるサムネイル画像が順次スロットに割り当てられて、これらサムネイル画像によるエントリの連続により構成される。
【００４７】
これらテキストエントリファイルＥ１、サムネイル画像エントリファイルＥ２は、各スロットが固定長により形成され、これにより管理対象ファイルより得られる対応する抜粋情報のデータ量に応じて、１つの管理対象ファイルに対して１又は複数個のスロットが割り当てられるようになされている。また管理対象ファイルの種類によっては、抜粋情報の種類が異なることにより、管理対象によっては、何らエントリが設けられない場合もある。
【００４８】
これに対してプロパティエントリファイルＥ３は、ディスクタイトル、各管理対象ファイルの属性を示すデータが割り当てられ、これらディスクタイトル、各管理対象ファイルに設定されたバイナリーデータによる抜粋情報がエントリの管理情報と共に順次スロットに割り当てられて、これら抜粋情報によるエントリの連続により形成される。プロパティエントリファイルＥ３は、テキストエントリファイルＥ１、サムネイル画像エントリファイルＥ２と同様に、各スロットが固定長により形成される。またプロパティエントリファイルＥ３は、管理対象ファイルの種類が種々に異なる場合であっても必ず設けられ、さらにテキストエントリファイルＥ１、サムネイル画像エントリファイルＥ２に設けられたエントリに対応するように各管理対象ファイルのエントリが設定される。
【００４９】
これによりプロパティエントリファイルＥ３は、テキストエントリファイルＥ１、サムネイル画像エントリファイルＥ２に何らエントリが設けられていない場合には、対応する抜粋情報のデータ量に応じて１又は複数個のスロットに１つの管理対象ファイルの抜粋情報が割り当てられるのに対し、例えばテキストエントリファイルＥ１及び又はサムネイル画像エントリファイルＥ２において、１つの管理対象ファイルに対して複数のエントリが設定されている場合、抜粋情報のデータ量の多少にかかわらず、少なくともこの複数個の分は、この管理対象ファイルに対してエントリが設けられるようになされている。インデックスファイルにおいては、このように実データの部分を固定長により構成することにより、記録媒体の無駄な消費を低減し、また記録媒体に対するアクセス回数を低減して処理時間を短くすることができるようになされている。
【００５０】
プロパティエントリファイルＥ３は、各エントリに、他のエントリとの関係を示すエントリの管理情報として、対応する他のエントリファイルのエントリを特定する管理情報（図２において、矢印により示す関連を示す情報である）が設定され、また複数個のスロットによるエントリにあっては、順次続くエントリを特定する拡張スロットに係る管理情報が設定されるようになされている。これによりインデックスファイルは、このプロパティエントリファイルＥ３に設定された他のエントリとの関係を示す管理情報により、１つの管理対象ファイルの抜粋情報を記録してなる複数のスロットを特定できるようになされている。またプロパティエントリファイルＥ３には、対応する管理対象ファイルを特定する情報が設定され、これによりこのインデックスファイルに記録された抜粋情報による管理対象ファイルを特定できるようになされている。
【００５１】
またプロパティエントリファイルＥ３は、それぞれエントリに登録された抜粋情報の有効無効を示す有効無効情報による管理情報が設定される。これによりインデックスファイルは、このプロパティエントリに設けられた有効無効情報の設定だけで、プロパティエントリファイルＥ３、他のエントリファイルＥ１、Ｅ２の対応するエントリをまとめて無効に設定して、管理対象ファイルのインデックスファイルへの登録を削除できるようになされている。
【００５２】
インデックスファイルは、記録媒体上に実在するファイルだけでなく、記録媒体のファイル管理システムによる実在のフォルダ、仮想のフォルダについても、各エントリファイルに登録できるようになされ、各プロパティエントリにおいて、このようなフォルダを登録してなるプロパティエントリに対する階層構造を定義できるようになされている。これによりインデックスファイルは、光ディスク２に設定されている実在する階層構造によるフォルダ構造により、さらにはこのインデックスファイルにおいて設定された仮想の階層構造によるフォルダ構造により、光ディスク２に記録されたファイルを管理できるようになされている。
【００５３】
これに対してリソースファイルは、各エントリファイルにおけるスロットの開始位置等の管理情報が、このインデックスファイルの属性情報等と共に記録される。
【００５４】
これによりインデックスファイルは、サムネイル画像エントリファイルＥ２によりサムネイル画像をユーザーに提供して、又はテキストエントリファイルＥ１により各ファイルのタイトル等をユーザーに提供して、これらサムネイル画像、タイトルによりファイルの選択を受け付け、この選択されたファイルをプロパティエントリの記述によりファイル管理システムによるファイル名により検出できるようになされ、これらによりユーザーによる操作性を向上できるようになされている。
【００５５】
これらによりこの光ディスク装置１において、システム制御マイコン１９は、ファイル生成器１５よりデータ圧縮された画像データ及び音声データを取得してデコードした後、画像データにおいては、画素の間引きによりサムネイル画像を生成し、このサムネイル画像によりサムネイル画像エントリファイルＥ２を生成するようになされている。また光ディスク２のファイル管理システムに保持された各管理対象ファイルのファイル情報より、さらにはユーザーの設定によりタイトルのデータを生成し、これによりテキストエントリファイルＥ１を生成するようになされている。これに対してユーザーの操作に応動してプロパティエントリファイルＥ３を作成するようになされ、さらにはこれらのエントリファイルＥ１〜Ｅ３に応じてリソースファイルを作成するようになされている。
【００５６】
（１−３）システム制御マイコンにおける処理
しかしてこのようなインデックスファイルによる管理においては、１つのファイルを光ディスク２に記録すると、少なくともプロパティエントリファイルＥ３においては、１つのスロットが消費され、これにより静止画ファイルを光ディスク２に多量に記録すると、プロパティエントリの数が極端に増大することになる。また同様にサムネイル画像エントリファイルについても、エントリ数が極端に増大することになる。
【００５７】
このためシステム制御マイコン１９は、ユーザーによる指示によりインデックスファイルの整理の処理を実行することにより、インデックスファイルを整理し、これによりインデックスファイルに登録されたエントリの数を低減する。
【００５８】
ここでこのインデックスファイルの整理の処理においては、インデックスファイルに既に登録されている複数の静止画ファイルを１つのファイルにまとめ、これら静止画ファイルによる静止画が連続してなるムービーファイルを作成し、これら複数の静止画ファイルに係るインデックスファイルの登録を削除すると共に、このムービーファイルをインデックスファイルに登録することにより実行される。またこのムービーファイルをＱＴファイル形式により作成して、サムネイル画像エントリファイルＥ２、テキストエントリファイルＥ１の対応するエントリの実データについても、このムービーファイルに登録し、これにより恰もインデックスファイルにこれら複数ファイルが登録されているかのような操作性を確保する。
【００５９】
すなわち図３に示すように、単に撮像結果による静止画ファイルを登録した場合、光ディスク２においては、これら撮像結果に係る静止画ファイルＦ１〜Ｆ５が記録され、インデックスファイルにおけるプロパティエントリファイルＥ３においては、これら静止画ファイルＦ１〜Ｆ５に対応するプロパティエントリＰＥＳ２〜ＰＥＳ６が設けられ、矢印により示すようにこれらプロパティエントリＰＥＳ２〜ＰＥＳ６によりそれぞれ静止画ファイルＦ１〜Ｆ５を指し示すことになる（図３（Ａ）及び（Ｂ））。
【００６０】
ここでＱＴフォーマットのファイルは（図３（Ｃ））、動画、静止画、音声等による実データと、この実データを管理する管理情報とがアトムと呼ばれる階層構造によりまとめられて形成される。ＱＴフォルダのファイルは、これら実データがまとめられてムービーデータアトム（Movie Data Atom （mdat））に割り当てられ、ムービーデータアトムの実データを管理する管理情報がまとめられてムービーアトム（Movie Atom（moov））に割り当てられて形成される。また実データは、それぞれ属性毎にグループ化され、管理情報においては、この各グループによる実データを管理する管理情報がそれぞれまとめられてトラックが形成される。しかして図３（Ｃ）に示す例では、ムービーアトムにそれぞれ静止画による実データを管理する静止画トラックＴ１、サムネイル画像による実データを管理するサムネイルトラックＴ２、タイトル等によるテキストデータによる実データを管理するタイトルトラックＴ３が設けられるようになされている。
【００６１】
ＱＴフォーマットにおいては、このようなトラックＴ１〜Ｔ３による管理対象を、このＱＴフォーマットによるファイルのムービーデータアトム（Movie Data Atom （mdat））の実データに設定してなる自己内包形式の他に、外部参照形式によりトラックＴ１〜Ｔ３による管理対象を外部ファイルに設定することも可能であり、この実施例では、この外部参照形式により複数静止画ファイルをまとめてなるムービーファイルを作成する。またサムネイル画像エントリ、テキストエントリについては、自己内包形式によりムービーファイルを作成する。
【００６２】
すなわちシステム制御マイコン１９は、静止画トラックＴ１の各サンプルＳ１〜Ｓ５において、これら複数の静止画ファイルＦ１〜Ｆ５をそれぞれ指し示すように、ムービーアトムを形成し、これにより複数の静止画ファイルＦ１〜Ｆ５を１つのファイルにまとめてなるムービーファイルＦＱＴを生成する。また対応するサムネイル画像エントリファイルＥ２、テキストエントリファイルＥ１からサムネイル画像のデータ、タイトルのデータをコピーしてムービーファイルＦＱＴのムービーデータアトムに順次記録する。
【００６３】
またこれら静止画ファイルＦ１〜Ｆ５をそれぞれ指し示してなるプロパティエントリファイルＥ３の対応するプロパティエントリＰＥＳ２〜ＰＥＳ６については、有効無効を示す有効無効情報を無効に設定することにより、各エントリファイルＥ１〜Ｅ３についてのこれら静止画ファイルＦ１〜Ｆ５のインデックスファイルへの登録を削除する。またこのように作成してなるムービーファイルＦＱＴを指し示すように、このように無効に設定してなるプロパティエントリにムービーファイルＦＱＴの抜粋情報を登録し（図３（Ｄ））、これによりムービーファイルＦＱＴをインデックスファイルに登録する。
【００６４】
これによりシステム制御マイコン１９は、複数の静止画ファイルによる複数個のエントリを１つのエントリにまとめ、その分、各エントリファイルに係るエントリ数をまとめて低減するようになされている。なおムービーファイルＦＱＴに係るサムネイル画像エントリファイルＥ２、テキストエントリファイルＥ１について、システム制御マイコン１９は、例えばこれら複数の静止画ファイルに係る何れかのサムネイル画像、これら複数の静止画ファイルに係るフォルダ名等を登録するようになされている。
【００６５】
図４は、このインデックスファイルの整理処理に係るシステム制御マイコン１９の処理手順を示すフローチャートである。システム制御マイコン１９は、例えば電源の立ち上げにより、光ディスク２の装填により、さらには撮像結果の記録の完了により、この処理手順を実行する。すなわちシステム制御マイコン１９は、この処理手順を開始すると、ステップＳＰ１からステップＳＰ２に移り、プロパティエントリファイルＥ３のエントリ数を検出し、このエントリ数が所定の基準値ＴＨ以上か否か判断する。ここでこの基準値ＴＨにおいては、このインデックスファイルに係る各種機器における処理可能なエントリ数に応じて事前に設定された値である。ここで否定結果が得られると、この場合、インデックスファイルにおいては、十分な空きスロットが存在することにより、ステップＳＰ２からステップＳＰ３に移ってこの処理手順を終了する。
【００６６】
これに対してステップＳＰ２で肯定結果が得られると、システム制御マイコン１９は、ステップＳＰ２からステップＳＰ４に移る。ここでシステム制御マイコン１９は、所定のメニュー画面を表示し、インデックスファイルの整理の処理を実行するか否かの選択を受け付ける。ここでインデックスファイルの整理の処理を実行しない旨のメニューの選択が得られると、システム制御マイコン１９は、ステップＳＰ４からステップＳＰ３に移ってこの処理手順を終了する。
【００６７】
これに対してインデックスファイルの整理の処理を実行する旨のメニューの選択が受け付けられると、システム制御マイコン１９は、ステップＳＰ４からステップＳＰ５に移り、整理可能なフォルダを表示する。またこの表示により続くステップＳＰ６において、ユーザーにより整理対象のフォルダの入力を受け付け、システム制御マイコン１９は、続くステップＳＰ７において、このユーザーにより指定されたフォルダに属する静止画ファイルについて、インデックスファイルの整理の処理を実行する。しかしてシステム制御マイコン１９は、インデックスファイルのプロパティエントリファイルＥ３に設定された階層構造に係る管理情報により、このユーザーの選択したファイルに係るプロパティエントリを順次選択し、このプロパティエントリに係る静止画ファイルについて、図３について上述したムービーファイルを作成して静止画ファイルの登録を削除し、またこのムービーファイルをプロパティエントリファイルＥ３に登録してこのインデックスファイルの整理の処理を実行し、ステップＳＰ３に移ってこの処理手順を終了する。
【００６８】
これによりこの実施例においては、インデックスファイルに登録されたエントリ数が処理可能な上限値に近づくと、ユーザーによる指示により１つのフォルダに属する静止画ファイルをムービーファイルにまとめてインデックスファイルの整理の処理を実行し、インデックスファイルのエントリ数を低減するようになされている。
【００６９】
システム制御マイコン１９は、ユーザーにより光ディスク２に記録されたファイルの一覧表示が指示されると、インデックスファイル上に形成された実在するフォルダ、仮想のフォルダを階層構造により表示し、ユーザーによるフォルダの選択によりこのフォルダに属するファイルを一覧表示する。この表示においてインデックスファイルは、ユーザーがサムネイル画像によるファイルの表示を指示した場合、インデックスファイルに登録されたサムネイル画像によりユーザーにより選択されたフォルダに属するファイルを一覧表示する。またユーザーがタイトルによる一覧表示を指示した場合、インデックスファイルのテキストエントリファイルに登録されたテキストデータによる表示によりユーザーの選択してフォルダに属するファイルを一覧表示する。
【００７０】
これに対してユーザーの選択したフォルダが、上述のインデックスファイルの整理の処理により１つのムービーファイルに静止画ファイルをまとめてなるフォルダの場合、システム制御マイコン１９は、ＱＴムービーファイルに係るアプリケーションを立ち上げ、このアプリケーションにより、ユーザーがサムネイル画像による一覧表示を指示した場合、ムービーファイルＦＱＴのサムネイルトラックＴ２の記録により、ムービーデータアトムに記録されたサムネイル画像を順次再生して一覧表示する。またユーザーがタイトルによる一覧表示を指示した場合、同様にして、ムービーファイルＦＱＴのタイトルトラックＴ３の記録により、ムービーデータアトムに記録されたテキストデータによる一覧表示を提供する。
【００７１】
またこのようにファイルを一覧表示して、ユーザーにより何れかのファイルが選択された場合、システム制御マイコン１９は、このファイルがインデックスファイルに登録されたファイルの場合、対応するプロパティエントリの管理情報により、この光ディスク装置１のファイル管理システムにこのファイルの再生を指示し、これにより光ディスク２から対応するファイルを再生してユーザーに提供する。これに対してこのファイルがムービーファイルにまとめられた静止画ファイルの場合、システム制御マイコン１９は、静止画トラックＴ１に記録された管理情報により、対応する静止画ファイルを検出し、ＱＴムービーファイルにおける外部参照ファイルの再生により、光ディスク２から対応するファイルを再生してユーザーに提供する。
【００７２】
またユーザーの選択によりこのようにしてムービーファイルにまとめて登録してなる静止画ファイルの１つについて削除が指示されると、ＱＴムービーファイルＦＱＴのムービーアトムにおける静止画トラックＴ１、サムネイルトラックＴ２、タイトルトラックＴ３の設定により、ＱＴムービーファイルＦＱＴ上で、この静止画ファイルに係る静止画を削除し、またファイル管理システムにより光ディスク２からこの静止画ファイルを削除する。
【００７３】
これによりこの光ディスク装置１では、このように複数の静止画ファイルをまとめて１つのムービーファイルによりエントリ数を低減した場合でも、インデックスファイルに静止画ファイルを直接登録している場合と同様の操作性を確保できるようになされている。
【００７４】
これに対してユーザーによりこのようにムービーファイルＦＱＴにまとめて登録してなる静止画ファイルのインデックスファイルへの再登録が指示されると、システム制御マイコン１９は、インデックスファイルの整理の処理の場合とは逆に、このムービーファイルＦＱＴのインデックスファイルへのエントリを削除する。またこのムービーファイルＦＱＴの静止画トラックＴ１により順次指し示されてなる静止画ファイルを順次指し示すように、インデックスファイルのプロパティエントリファイルＥ３に順次抜粋情報を登録する。また対応するサムネイル画像、テキストデータをムービーファイルＦＱＴのサムネイルトラックＴ２、タイトルトラックＴ３の記録によりムービーファイルＦＱＴから順次再生してサムネイル画像エントリファイルＥ２、テキストエントリファイルＥ１に登録し、またこの登録に対応するようにプロパティエントリの管理情報を設定する。またこのようにしてインデックスファイルに各静止画ファイルを登録すると、ムービーファイルを光ディスク２より削除する。
【００７５】
これにより光ディスク装置１では、静止画ファイルをムービーファイルにまとめた状態では各静止画ファイルを処理できないようなアプリケーションに係る装置に光ディスク２を装填する場合等にあっては、個々の静止画ファイルをインデックスファイルに登録し直し、このようなアプリケーションに係る装置でも光ディスク２に記録された静止画ファイルを処理できるようになされている。
【００７６】
（２）実施例の動作
以上の構成において、この光ディスク装置１では（図１）、撮像手段、音声取得手段で取得した静止画、動画による画像データ、音声データがそれぞれビデオ符号器１１、オーディオ符号器１２でエンコードされた後、ファイル生成器１５によりＱＴムービーファイルのデータストリームに変換され、メモリコントローラ１８、エラー訂正符号／復号器２１、データ変復調器２３、磁界変調ドライバ２４、光ピックアップ３３による記録系を介して光ディスク２に記録される。これによりこの光ディスク装置１では、静止画、動画による撮像結果がＱＴムービーファイルにより光ディスク２に記録される。またこの光ディスク２のファイルの記録に対応するように、システム制御マイコン１９の出力データがこの光ディスク装置１の記録系に出力され、これにより光ディスク２のファイル管理システムに係る管理情報がこのＱＴムービーファイルの記録に対応するように更新される。
【００７７】
またこのようにして記録したＱＴムービーファイルにおいては、ファイル管理システムによる管理情報に基づいて光ピックアップ３３、データ変復調器２３、エラー訂正符号／復号器２１、メモリコントローラ１８を介して順次再生され、ファイル復号器１６によりビデオデータ及びオーディオデータのエレメンタリストリームに分解された後、それぞれビデオ復号器１３、オーディオ復号器１４によりデコードされて出力される。
【００７８】
この光ディスク装置１では、このようなＱＴムービーファイルの記録時、ファイル生成器１５よりサムネイル画像用のデータがシステム制御マイコン１９で取得され、またこのファイルの記録に前後したユーザーの入力等によりタイトルのデータがシステム制御マイコン１９で取得される。またファイル管理システムに係るファイル名等の情報が取得され、これらにより光ディスク２に記録するＱＴムービーファイルの抜粋情報がシステム制御マイコン１９で収拾される。光ディスク装置１では、光ディスク２のファイル管理システムに係る管理情報と同様に、システム制御マイコン１９に内蔵のメモリにおいて、このようにして取得した抜粋情報によりインデックスファイルが生成され、このインデックスファイルがＱＴファイルと同様に光ディスク２に記録される。またこのインデックスファイルの記録に対応するようにファイル管理システムの管理情報が更新される。
【００７９】
これによりこの光ディスク装置１では、このインデックスファイルに登録されたサムネイル画像の表示により、さらにはタイトルの表示により光ディスク２に記録された各種ファイルをユーザーに紹介し、またユーザーによるファイルの選択を受け付け、光ディスク２に多数のファイルを記録した場合でも簡易かつ確実に所望するファイルを選択できるようにしてユーザーによる操作性を向上できるようになされている。
【００８０】
しかしてこのようにして記録するファイルのうち、動画による撮像結果のファイルにおいては、比較的、データ量が大きく、これによりインデックスファイルに事前に確保したスロットにより動画ファイルを順次インデックスファイルに記録した場合でも、光ディスク２に記録した多数のファイルを十分にインデックスファイルに登録することができると考えられる。
【００８１】
しかしながら静止画による撮像結果のファイルにおいては、動画によるファイルに比してデータ量が少なく、これにより多数のファイルを記録した場合には、インデックスファイルにおけるエントリ数が極端に増大し、光ディスク２に空き領域が存在するにも係わらずインデックスファイルに静止画ファイルを登録することが困難になり、結局、光ディスク２に静止画ファイルを記録できなくなる場合も考えられる。
【００８２】
これによりこの実施例では、システム制御マイコン１９によりインデックスファイルの整理の処理が実行され、インデックスファイルのエントリ数が低減される。すなわち光ディスク装置１では、ユーザーによりインデックスファイルの整理の処理が指示されると、ユーザーにより指示されたフォルダに属する複数の静止画ファイルについて、この複数の静止画ファイルを外部参照形式により指し示すように静止画トラックＴ１が設定されてＱＴムービーファイルＦＱＴが作成され（図３）、これにより光ディスク装置１では、これら複数の静止画ファイルがまとめられて１つのムービーファイルが形成される。
【００８３】
またこのムービーファイルにまとめた複数の静止画ファイルに係るインデックスファイルのエントリが削除され、このムービーファイルの抜粋情報によるエントリがインデックスファイルに登録される。これによりこの光ディスク装置１では、これら複数の静止画ファイルに係る複数のエントリをムービーファイルに係る１つのエントリに低減することができ、その分、多数の静止画ファイルを管理する場合にあっても、エントリ数の極端な増大を防止することができるようになされている。
【００８４】
光ディスク装置１では、外部参照形式によりこれら複数の静止画ファイルをまとめてなるムービーファイルが形成され、これにより光ディスク装置１においては、それまでのインデックスファイルにおけるプロパティエントリファイルＥ３の記録に基づいて、単に、光ディスク２に記録されている静止画ファイルを指し示すように、ムービーファイルの静止画トラックＴ１を作成すればよく、これによりこのように複数の静止画ファイルをムービーファイルにまとめる処理を簡略化することができる。
【００８５】
またこのムービーファイルのサムネイルトラック、タイトルトラックの実データをそれぞれ対応するエントリファイルのサムネイル画像エントリ、テキストエントリから取得して設定することにより、サムネイル画像、タイトルによりこのようにムービーデータにまとめた静止画ファイルをユーザーに紹介することができ、またこのような紹介によりユーザーの選択を受け付けることができ、インデックスファイルに静止画ファイルを直接登録した場合と同様の操作性を確保することができる。
【００８６】
光ディスク装置１では、このようなインデックスファイルの整理の処理が、システム制御マイコン１９によりエントリ数を判定して実行され、これにより常にエントリ数を一定値以下に保持することができ、これにより例えばこの光ディスク２をこのようなエントリ数に係る処理能力の低い装置で処理する場合等にあっても、確実に光ディスク２に記録されたファイルをインデックスファイルの管理により処理できるようになされている。
【００８７】
またこのような処理の開始に先立ち、ユーザーによる確認を得ることにより、このインデックスファイルの整理の処理によりユーザーが光ディスク２に記録した各種ファイルを操作し得ないような状況を有効に回避することができ、その分、ユーザーの使い勝手を向上できるようになされている。
【００８８】
またこのようなインデックスファイルの処理に係る静止画ファイルにあっては、ユーザーにより指示されたフォルダに属する静止画ファイルであることにより、フォルダ単位で、インデックスファイルのアプリケーションによる処理と、ＱＴムービーファイルのアプリケーションによる処理とで処理を切り換えて、サムネイル画像等によるファイルの一覧表示、各ファイルの再生等を実行し得、複数の静止画ファイルを１つのムービーファイルにまとめてインデックスファイルによる操作と同等のユーザーインターフェースを提供することができ、またこのようなユーザーインターフェースを提供するようにして光ディスク装置における処理を簡略化することができる。
【００８９】
また光ディスク装置１では、このようにして１つのムービーファイルに登録してなる静止画ファイルのインデックスファイルへの再登録がユーザーにより指示されると、インデックスファイルの整理の処理とは逆の処理により、１つのムービーファイルにまとめられた静止画ファイルが個々にインデックスファイルに登録される。これにより光ディスク装置１では、例えばこのように複数の静止画ファイルをまとめてなるムービーファイルに対応困難な装置で光ディスク２を使用する場合にあっても、何ら問題なく各静止画ファイルを処理することができ、その分、光ディスク２の汎用性を向上させることができる。
【００９０】
（３）実施例の効果
以上の構成によれば、ファイルの抜粋情報によるエントリの連続によるインデックスファイルにおいて、複数の静止画ファイルを１つのムービーファイルにまとめてインデックスファイルに登録し直すことにより、多数の静止画ファイルを管理する場合にあっても、エントリ数の極端な増大を防止することができる。
【００９１】
またこのムービーファイルが、記録媒体に記録された複数の静止画ファイルを参照して対応する静止画による画像を提供する外部参照形式によるファイルであることにより、複数の静止画ファイルを１つのムービーファイルにまとめる処理を簡略化することができる。
【００９２】
またこのときインデックスファイルからサムネイル画像を取得して、静止画ファイルと対応付けして、該サムネイル画像による実データのグループをムービーファイルに形成することにより、またインデックスファイルからタイトルのデータを取得して、静止画ファイルと対応付けして、該タイトルのデータによる実データのグループをムービーファイルに形成することにより、サムネイル画像、タイトルにより１つのムービーファイルにまとめた複数の静止画ファイルを管理することができ、インデックスファイルに個々に静止画ファイルが登録されている場合と同様の操作性を確保することができる。
【００９３】
またこのように１つのムービーファイルにまとめる複数の静止画ファイルが、特定のフォルダに属する静止画ファイルであることにより、フォルダ単位で処理を切り換えて処理を簡略化することができる。
【００９４】
またインデックスファイルにおけるエントリの数を判定し、該判定結果によりインデックスファイルの整理の処理を実行することにより、常にインデックスファイルのエントリ数を一定範囲に管理することができる。
【００９５】
またインデックスファイルにおけるエントリの数を判定し、該判定結果をユーザーに通知して得られるユーザーの指示によりインデックスファイルの整理の処理を実行することにより、ユーザーの使い勝手を向上することができる。
【００９６】
また静止画ファイルの再登録の処理により、ムービーファイルの抜粋情報によるインデックスファイルのエントリを削除すると共に、ムービーファイルによりまとめられた複数の静止画ファイルの抜粋情報によるエントリをインデックスファイルにそれぞれ登録することにより、１つのムービーファイルにまとめた複数の静止画ファイルを必要に応じてインデックスファイルに個々に登録することができる。
【実施例２】
【００９７】
この実施例においては、いわゆる自己内包形式により複数の静止画ファイルをまとめてなるムービーファイルを作成する。なおこの実施例においては、このムービーファイルの形式が異なる点を除いて、実施例１に係る光ディスク装置と同一に構成されることにより、以下においては、図１の構成を流用して説明する。
【００９８】
すなわち図３との対比により図５に示すように、この実施例において、システム制御マイコン１９は、インデックスファイルの整理の処理に係る静止画ファイルより、静止画ファイルのデータをコピーしてムービーデータアトムに順次記録し（図５（Ａ）、（Ｂ）及び（Ｃ））、この静止画ファイルのデータを指し示すように、ムービーアトムに係る静止画トラックＴ１を設定する。またこのようにしてムービーファイルを作成して光ディスク２に記録すると、対応する静止画ファイルを光ディスク２から削除する。
【００９９】
またこれら静止画ファイルの削除に対応するように、インデックスファイルにおけるエントリを削除し、またムービーファイルの記録に対応するように、インデックスファイルにムービーファイルを登録する。なおサムネイル画像エントリ、テキストエントリに係る処理においては、実施例１と同様に、ムービーデータアトムに対応するデータをコピーして実行される。
【０１００】
これによりこの実施例において、システム制御マイコン１９は、ユーザーによりこのムービーファイルにまとめられた静止画ファイルの再生が指示されると、ムービーアトムの記録により対応するムービーデータアトムに設定された静止画ファイルのデータを再生してユーザーに提供するようになされている。
【０１０１】
またシステム制御マイコン１９は、ユーザーにより静止画ファイルの再登録が指示されると、この自己内包形式によりムービーデータアトムに記録された静止画ファイルのデータをそれぞれ個々のファイルにより光ディスク２に記録し、またこの記録に対応するようにインデックスファイルにプロパティエントリ、サムネイル画像エントリ、テキストエントリを登録し、これによりインデックスファイルに個々に静止画ファイルを登録していた状態に戻す。
【０１０２】
この実施例のように、自己内包形式により静止画ファイルをまとめてムービーファイルを作成するようにしても、実施例１と同一の効果を得ることができる。またこのように自己内包形式により複数の静止画ファイルをまとめるようにすれば、ファイル管理システム上における実ファイル数も少なくすることができる。
【実施例３】
【０１０３】
なお上述の実施例においては、ＱＴムービーファイルにより複数の静止画ファイルを１つのファイルにまとめる場合について述べたが、本発明はこれに限らず、種々のフォーマットによるムービーファイルを広く適用することができる。
【０１０４】
また上述の実施例においては、エントリ数が所定値以上となった場合に、ユーザーの指示によりインデックスファイルの整理の処理を実行する場合について述べたが、本発明はこれに限らず、ユーザーの指示に依らずにエントリ数が一定値以上になった場合に自動的にインデックスファイルの整理の処理を実行する場合等、インデックスファイルの整理の処理を実行するタイミングにあっては、必要に応じて種々に設定することができる。
【０１０５】
また上述の実施例においては、抜粋情報によるデータ群と、このデータ群を管理する管理用データ群とをＱＴファイル構造により一体に保持してインデックスファイルを構成する場合について述べたが、本発明はこれに限らず、必要に応じて種々のフォーマットを適用することができる。
【０１０６】
また上述の実施例においては、本発明を光ディスク装置に適用して撮像結果、パソコンの出力等を記録する場合について述べたが、本発明はこれに限らず、光磁気ディスク、ハードディスク装置等の各種記録媒体に記録した多数のファイルを管理する場合、さらには所定のサーバーに保持した多数のファイルを管理する場合等に広く適用することができる。
【０１０７】
また上述の実施例においては、管理対象ファイルと共にインデックスファイルを記録する場合について述べたが、本発明はこれに限らず、管理対象ファイルと異なる記録媒体にインデックスファイルを記録する場合、さらには管理対象ファイルと異なるサーバー上にインデックスファイルを保持する場合等に広く適用することができる。
【産業上の利用可能性】
【０１０８】
本発明は、例えば光ディスク装置に適用することができる。
【図面の簡単な説明】
【０１０９】
【図１】本発明の実施例１に係る光ディスク装置を示すブロック図である。
【図２】インデックスファイルを示す図表である。
【図３】インデックスファイルの整理の処理の説明に供する図表である。
【図４】インデックスファイルの整理の処理に係る処理手順を示すフローチャートである。
【図５】本発明の実施例２に係る光ディスク装置におけるインデックスファイルの整理処理の説明に供する図表である。
【符号の説明】
【０１１０】
１……光ディスク装置、２……光ディスク、１１……ビデオ符号器、１２……オーディオ符号器、１３……ビデオ復号器、１４……オーディオ復号器、１５……ファイル生成器、１６……ファイル復号器、１９……システム制御マイコン
【図１】
2005115709.tif 000003
【図２】
2005115709.tif 000004
【図３】
2005115709.tif 000005
【図４】
2005115709.tif 000006
【図５】
2005115709.tif 000007
【手続補正書】
【提出日】平成16年8月30日(2004.8.30)
【手続補正１】
【補正対象書類名】明細書
【補正対象項目名】０００７
【補正方法】変更
【補正の内容】
【０００７】
これに対してインデックスファイルにおいては、このようにエントリ数が極端に増大すると、その分、インデックスファイルのデータ量が増大することにより処理に時間を要するようになる。またエントリ数の増大により、インデックスファイルのエントリ数の上限規定に達したり、あるいはこの記録媒体を他の装置に装着した場合に、この装置のアプリケーションによってはインデックスファイルを処理することが困難になったりする理由により、記録媒体に十分な空き領域が存在するにも係わらず、インデックスファイルにより管理可能に所望するファイルを記録できなくなる恐れがある。
【特許文献１】特開２００１−８４７０５号公報
【特許文献２】特開２００２−２７８９９６号公報
【手続補正２】
【補正対象書類名】明細書
【補正対象項目名】００１２
【補正方法】変更
【補正の内容】
【００１２】
また請求項１４の発明においては、コンピュータに所定の処理手順を実行させることにより、記録媒体に記録されたファイルを管理するファイル管理方法のプログラムを記録した記録媒体に適用して、処理手順は、記録媒体に記録された複数の静止画ファイルを１つのファイルにまとめてなるムービーファイルを形成すると共に、ムービーファイルにまとめた複数の静止画ファイルに係るインデックスファイルのエントリを削除し、ムービーファイルの抜粋情報によるエントリをインデックスファイルに登録するインデックスファイルの整理の処理ステップを有するようにする。
【手続補正３】
【補正対象書類名】明細書
【補正対象項目名】００４４
【補正方法】変更
【補正の内容】
【００４４】
具体的にインデックスファイルは、ＱＴムービーファイルの構成に対応して図２に示すように、実データに係る抜粋情報がグループ化されてテキストエントリファイルＥ３、サムネイル画像エントリファイルＥ２、プロパティエントリファイルＥ１に割り当てられ、これらをエントリファイルＥ１〜Ｅ３と、これらエントリファイルＥ１〜Ｅ３の管理情報によるリソースファイル（図示せず）とにより構成される。
【手続補正４】
【補正対象書類名】明細書
【補正対象項目名】００４６
【補正方法】変更
【補正の内容】
【００４６】
ここでテキストエントリファイルＥ３は、ディスクタイトル、各管理対象ファイル等に係るタイトルの文字列を示すデータが順次スロットに割り当てられて、これらタイトルのデータによるエントリの連続により形成される。これに対してサムネイル画像エントリファイルＥ２は、ディスクタイトル、各管理対象ファイルの内容を示す静止画像によるサムネイル画像が順次スロットに割り当てられて、これらサムネイル画像によるエントリの連続により構成される。
【手続補正５】
【補正対象書類名】明細書
【補正対象項目名】００４７
【補正方法】変更
【補正の内容】
【００４７】
これらテキストエントリファイルＥ３、サムネイル画像エントリファイルＥ２は、各スロットが固定長により形成され、これにより管理対象ファイルより得られる対応する抜粋情報のデータ量に応じて、１つの管理対象ファイルに対して１又は複数個のスロットが割り当てられるようになされている。また管理対象ファイルの種類によっては、抜粋情報の種類が異なることにより、管理対象によっては、何らエントリが設けられない場合もある。
【手続補正６】
【補正対象書類名】明細書
【補正対象項目名】００４８
【補正方法】変更
【補正の内容】
【００４８】
これに対してプロパティエントリファイルＥ１は、ディスクタイトル、各管理対象ファイルの属性を示すデータが割り当てられ、これらディスクタイトル、各管理対象ファイルに設定されたバイナリーデータによる抜粋情報がエントリの管理情報と共に順次スロットに割り当てられて、これら抜粋情報によるエントリの連続により形成される。プロパティエントリファイルＥ１は、テキストエントリファイルＥ３、サムネイル画像エントリファイルＥ２と同様に、各スロットが固定長により形成される。またプロパティエントリファイルＥ１は、管理対象ファイルの種類が種々に異なる場合であっても必ず設けられ、さらにテキストエントリファイルＥ３、サムネイル画像エントリファイルＥ２に設けられたエントリに対応するように各管理対象ファイルのエントリが設定される。
【手続補正７】
【補正対象書類名】明細書
【補正対象項目名】００４９
【補正方法】変更
【補正の内容】
【００４９】
これによりプロパティエントリファイルＥ１は、テキストエントリファイルＥ３、サムネイル画像エントリファイルＥ２に何らエントリが設けられていない場合には、対応する抜粋情報のデータ量に応じて１又は複数個のスロットに１つの管理対象ファイルの抜粋情報が割り当てられるのに対し、例えばテキストエントリファイルＥ３及び又はサムネイル画像エントリファイルＥ２において、１つの管理対象ファイルに対して複数のエントリが設定されている場合、抜粋情報のデータ量の多少にかかわらず、少なくともこの複数個の分は、この管理対象ファイルに対してエントリが設けられるようになされている。インデックスファイルにおいては、このように実データの部分を固定長により構成することにより、記録媒体の無駄な消費を低減し、また記録媒体に対するアクセス回数を低減して処理時間を短くすることができるようになされている。
【手続補正８】
【補正対象書類名】明細書
【補正対象項目名】００５０
【補正方法】変更
【補正の内容】
【００５０】
プロパティエントリファイルＥ１は、各エントリに、他のエントリとの関係を示すエントリの管理情報として、対応する他のエントリファイルのエントリを特定する管理情報（図２において、矢印により示す関連を示す情報である）が設定され、また複数個のスロットによるエントリにあっては、順次続くエントリを特定する拡張スロットに係る管理情報が設定されるようになされている。これによりインデックスファイルは、このプロパティエントリファイルＥ１に設定された他のエントリとの関係を示す管理情報により、１つの管理対象ファイルの抜粋情報を記録してなる複数のスロットを特定できるようになされている。またプロパティエントリファイルＥ３には、対応する管理対象ファイルを特定する情報が設定され、これによりこのインデックスファイルに記録された抜粋情報による管理対象ファイルを特定できるようになされている。
【手続補正９】
【補正対象書類名】明細書
【補正対象項目名】００５１
【補正方法】変更
【補正の内容】
【００５１】
またプロパティエントリファイルＥ１は、それぞれエントリに登録された抜粋情報の有効無効を示す有効無効情報による管理情報が設定される。これによりインデックスファイルは、このプロパティエントリに設けられた有効無効情報の設定だけで、プロパティエントリファイルＥ１、他のエントリファイルＥ３、Ｅ２の対応するエントリをまとめて無効に設定して、管理対象ファイルのインデックスファイルへの登録を削除できるようになされている。
【手続補正１０】
【補正対象書類名】明細書
【補正対象項目名】００５４
【補正方法】変更
【補正の内容】
【００５４】
これによりインデックスファイルは、サムネイル画像エントリファイルＥ２によりサムネイル画像をユーザーに提供して、又はテキストエントリファイルＥ３により各ファイルのタイトル等をユーザーに提供して、これらサムネイル画像、タイトルによりファイルの選択を受け付け、この選択されたファイルをプロパティエントリの記述によりファイル管理システムによるファイル名により検出できるようになされ、これらによりユーザーによる操作性を向上できるようになされている。
【手続補正１１】
【補正対象書類名】明細書
【補正対象項目名】００５５
【補正方法】変更
【補正の内容】
【００５５】
これらによりこの光ディスク装置１において、システム制御マイコン１９は、ファイル生成器１５よりデータ圧縮された画像データ及び音声データを取得してデコードした後、画像データにおいては、画素の間引きによりサムネイル画像を生成し、このサムネイル画像によりサムネイル画像エントリファイルＥ２を生成するようになされている。また光ディスク２のファイル管理システムに保持された各管理対象ファイルのファイル情報より、さらにはユーザーの設定によりタイトルのデータを生成し、これによりテキストエントリファイルＥ３を生成するようになされている。これに対してユーザーの操作に応動してプロパティエントリファイルＥ１を作成するようになされ、さらにはこれらのエントリファイルＥ１〜Ｅ３に応じてリソースファイルを作成するようになされている。
【手続補正１２】
【補正対象書類名】明細書
【補正対象項目名】００５６
【補正方法】変更
【補正の内容】
【００５６】
（１−３）システム制御マイコンにおける処理
しかしてこのようなインデックスファイルによる管理においては、１つのファイルを光ディスク２に記録すると、少なくともプロパティエントリファイルＥ１においては、１つのスロットが消費され、これにより静止画ファイルを光ディスク２に多量に記録すると、プロパティエントリの数が極端に増大することになる。また同様にサムネイル画像エントリファイルについても、エントリ数が極端に増大することになる。
【手続補正１３】
【補正対象書類名】明細書
【補正対象項目名】００５８
【補正方法】変更
【補正の内容】
【００５８】
ここでこのインデックスファイルの整理の処理においては、インデックスファイルに既に登録されている複数の静止画ファイルを１つのファイルにまとめ、これら静止画ファイルによる静止画が連続してなるムービーファイルを作成し、これら複数の静止画ファイルに係るインデックスファイルの登録を削除すると共に、このムービーファイルをインデックスファイルに登録することにより実行される。またこのムービーファイルをＱＴファイル形式により作成して、サムネイル画像エントリファイルＥ２、テキストエントリファイルＥ３の対応するエントリの実データについても、このムービーファイルに登録し、これにより恰もインデックスファイルにこれら複数ファイルが登録されているかのような操作性を確保する。
【手続補正１４】
【補正対象書類名】明細書
【補正対象項目名】００５９
【補正方法】変更
【補正の内容】
【００５９】
すなわち図３に示すように、単に撮像結果による静止画ファイルを登録した場合、光ディスク２においては、これら撮像結果に係る静止画ファイルＦ１〜Ｆ５が記録され、インデックスファイルにおけるプロパティエントリファイルＥ１においては、これら静止画ファイルＦ１〜Ｆ５に対応するプロパティエントリＰＥＳ２〜ＰＥＳ６が設けられ、矢印により示すようにこれらプロパティエントリＰＥＳ２〜ＰＥＳ６によりそれぞれ静止画ファイルＦ１〜Ｆ５を指し示すことになる（図３（Ａ）及び（Ｂ））。
【手続補正１５】
【補正対象書類名】明細書
【補正対象項目名】００６０
【補正方法】変更
【補正の内容】
【００６０】
ここでＱＴフォーマットのファイルは（図３（Ｃ））、動画、静止画、音声等による実データと、この実データを管理する管理情報とがアトムと呼ばれる階層構造によりまとめられて形成される。ＱＴフォルダのファイルは、これら実データがまとめられてムービーデータアトム（Movie Data Atom （mdat））に割り当てられ、ムービーデータアトムの実データを管理する管理情報がまとめられてムービーアトム（Movie Atom（moov））に割り当てられて形成される。また実データは、それぞれ属性毎にグループ化され、管理情報においては、この各グループによる実データを管理する管理情報がそれぞれまとめられてトラックが形成される。しかして図３（Ｃ）に示す例では、ムービーアトムにそれぞれ静止画による実データを管理する静止画トラックＴ４、サムネイル画像による実データを管理するサムネイルトラックＴ２、タイトル等によるテキストデータによる実データを管理するタイトルトラックＴ３が設けられるようになされている。
【手続補正１６】
【補正対象書類名】明細書
【補正対象項目名】００６１
【補正方法】変更
【補正の内容】
【００６１】
ＱＴフォーマットにおいては、このようなトラックＴ２〜Ｔ４による管理対象を、このＱＴフォーマットによるファイルのムービーデータアトム（Movie Data Atom （mdat））の実データに設定してなる自己内包形式の他に、外部参照形式によりトラックＴ２〜Ｔ４による管理対象を外部ファイルに設定することも可能であり、この実施例では、この外部参照形式により複数静止画ファイルをまとめてなるムービーファイルを作成する。またサムネイル画像エントリ、テキストエントリについては、自己内包形式によりムービーファイルを作成する。
【手続補正１７】
【補正対象書類名】明細書
【補正対象項目名】００６２
【補正方法】変更
【補正の内容】
【００６２】
すなわちシステム制御マイコン１９は、静止画トラックＴ４の各サンプルＳ１〜Ｓ５において、これら複数の静止画ファイルＦ１〜Ｆ５をそれぞれ指し示すように、ムービーアトムを形成し、これにより複数の静止画ファイルＦ１〜Ｆ５を１つのファイルにまとめてなるムービーファイルＦＱＴを生成する。また対応するサムネイル画像エントリファイルＥ２、テキストエントリファイルＥ３からサムネイル画像のデータ、タイトルのデータをコピーしてムービーファイルＦＱＴのムービーデータアトムに順次記録する。
【手続補正１８】
【補正対象書類名】明細書
【補正対象項目名】００６３
【補正方法】変更
【補正の内容】
【００６３】
またこれら静止画ファイルＦ１〜Ｆ５をそれぞれ指し示してなるプロパティエントリファイルＥ１の対応するプロパティエントリＰＥＳ２〜ＰＥＳ６については、有効無効を示す有効無効情報を無効に設定することにより、各エントリファイルＥ１〜Ｅ３についてのこれら静止画ファイルＦ１〜Ｆ５のインデックスファイルへの登録を削除する。またこのように作成してなるムービーファイルＦＱＴを指し示すように、このように無効に設定してなるプロパティエントリにムービーファイルＦＱＴの抜粋情報を登録し（図３（Ｄ））、これによりムービーファイルＦＱＴをインデックスファイルに登録する。
【手続補正１９】
【補正対象書類名】明細書
【補正対象項目名】００６４
【補正方法】変更
【補正の内容】
【００６４】
これによりシステム制御マイコン１９は、複数の静止画ファイルによる複数個のエントリを１つのエントリにまとめ、その分、各エントリファイルに係るエントリ数をまとめて低減するようになされている。なおムービーファイルＦＱＴに係るサムネイル画像エントリファイルＥ２、テキストエントリファイルＥ３について、システム制御マイコン１９は、例えばこれら複数の静止画ファイルに係る何れかのサムネイル画像、これら複数の静止画ファイルに係るフォルダ名等を登録するようになされている。
【手続補正２０】
【補正対象書類名】明細書
【補正対象項目名】００６５
【補正方法】変更
【補正の内容】
【００６５】
図４は、このインデックスファイルの整理処理に係るシステム制御マイコン１９の処理手順を示すフローチャートである。システム制御マイコン１９は、例えば電源の立ち上げにより、光ディスク２の装填により、さらには撮像結果の記録の完了により、この処理手順を実行する。すなわちシステム制御マイコン１９は、この処理手順を開始すると、ステップＳＰ１からステップＳＰ２に移り、プロパティエントリファイルＥ１のエントリ数を検出し、このエントリ数が所定の基準値ＴＨ以上か否か判断する。ここでこの基準値ＴＨにおいては、このインデックスファイルに係る各種機器における処理可能なエントリ数に応じて事前に設定された値である。ここで否定結果が得られると、この場合、インデックスファイルにおいては、十分な空きスロットが存在することにより、ステップＳＰ２からステップＳＰ３に移ってこの処理手順を終了する。
【手続補正２１】
【補正対象書類名】明細書
【補正対象項目名】００６７
【補正方法】変更
【補正の内容】
【００６７】
これに対してインデックスファイルの整理の処理を実行する旨のメニューの選択が受け付けられると、システム制御マイコン１９は、ステップＳＰ４からステップＳＰ５に移り、整理可能なフォルダを表示する。またこの表示により続くステップＳＰ６において、ユーザーにより整理対象のフォルダの入力を受け付け、システム制御マイコン１９は、続くステップＳＰ７において、このユーザーにより指定されたフォルダに属する静止画ファイルについて、インデックスファイルの整理の処理を実行する。しかしてシステム制御マイコン１９は、インデックスファイルのプロパティエントリファイルＥ１に設定された階層構造に係る管理情報により、このユーザーの選択したファイルに係るプロパティエントリを順次選択し、このプロパティエントリに係る静止画ファイルについて、図３について上述したムービーファイルを作成して静止画ファイルの登録を削除し、またこのムービーファイルをプロパティエントリファイルＥ１に登録してこのインデックスファイルの整理の処理を実行し、ステップＳＰ３に移ってこの処理手順を終了する。
【手続補正２２】
【補正対象書類名】明細書
【補正対象項目名】００６９
【補正方法】変更
【補正の内容】
【００６９】
システム制御マイコン１９は、ユーザーにより光ディスク２に記録されたファイルの一覧表示が指示されると、インデックスファイル上に形成された実在するフォルダ、仮想のフォルダを階層構造により表示し、ユーザーによるフォルダの選択によりこのフォルダに属するファイルを一覧表示する。この表示においてインデックスファイルは、ユーザーがサムネイル画像によるファイルの表示を指示した場合、インデックスファイルに登録されたサムネイル画像によりユーザーにより選択されたフォルダに属するファイルを一覧表示する。またユーザーがタイトルによる一覧表示を指示した場合、インデックスファイルのテキストエントリファイルに登録されたテキストデータによる表示によりユーザーの選択したフォルダに属するファイルを一覧表示する。
【手続補正２３】
【補正対象書類名】明細書
【補正対象項目名】００７１
【補正方法】変更
【補正の内容】
【００７１】
またこのようにファイルを一覧表示して、ユーザーにより何れかのファイルが選択された場合、システム制御マイコン１９は、このファイルがインデックスファイルに登録されたファイルの場合、対応するプロパティエントリの管理情報により、この光ディスク装置１のファイル管理システムにこのファイルの再生を指示し、これにより光ディスク２から対応するファイルを再生してユーザーに提供する。これに対してこのファイルがムービーファイルにまとめられた静止画ファイルの場合、システム制御マイコン１９は、静止画トラックＴ４に記録された管理情報により、対応する静止画ファイルを検出し、ＱＴムービーファイルにおける外部参照ファイルの再生により、光ディスク２から対応するファイルを再生してユーザーに提供する。
【手続補正２４】
【補正対象書類名】明細書
【補正対象項目名】００７２
【補正方法】変更
【補正の内容】
【００７２】
またユーザーの選択によりこのようにしてムービーファイルにまとめて登録してなる静止画ファイルの１つについて削除が指示されると、ＱＴムービーファイルＦＱＴのムービーアトムにおける静止画トラックＴ４、サムネイルトラックＴ２、タイトルトラックＴ３の設定により、ＱＴムービーファイルＦＱＴ上で、この静止画ファイルに係る静止画を削除し、またファイル管理システムにより光ディスク２からこの静止画ファイルを削除する。
【手続補正２５】
【補正対象書類名】明細書
【補正対象項目名】００７４
【補正方法】変更
【補正の内容】
【００７４】
これに対してユーザーによりこのようにムービーファイルＦＱＴにまとめて登録してなる静止画ファイルのインデックスファイルへの再登録が指示されると、システム制御マイコン１９は、インデックスファイルの整理の処理の場合とは逆に、このムービーファイルＦＱＴのインデックスファイルへのエントリを削除する。またこのムービーファイルＦＱＴの静止画トラックＴ４により順次指し示されてなる静止画ファイルを順次指し示すように、インデックスファイルのプロパティエントリファイルＥ１に順次抜粋情報を登録する。また対応するサムネイル画像、テキストデータをムービーファイルＦＱＴのサムネイルトラックＴ２、タイトルトラックＴ３の記録によりムービーファイルＦＱＴから順次再生してサムネイル画像エントリファイルＥ２、テキストエントリファイルＥ３に登録し、またこの登録に対応するようにプロパティエントリの管理情報を設定する。またこのようにしてインデックスファイルに各静止画ファイルを登録すると、ムービーファイルを光ディスク２より削除する。
【手続補正２６】
【補正対象書類名】明細書
【補正対象項目名】００８２
【補正方法】変更
【補正の内容】
【００８２】
これによりこの実施例では、システム制御マイコン１９によりインデックスファイルの整理の処理が実行され、インデックスファイルのエントリ数が低減される。すなわち光ディスク装置１では、ユーザーによりインデックスファイルの整理の処理が指示されると、ユーザーにより指示されたフォルダに属する複数の静止画ファイルについて、この複数の静止画ファイルを外部参照形式により指し示すように静止画トラックＴ４が設定されてＱＴムービーファイルＦＱＴが作成され（図３）、これにより光ディスク装置１では、これら複数の静止画ファイルがまとめられて１つのムービーファイルが形成される。
【手続補正２７】
【補正対象書類名】明細書
【補正対象項目名】００８４
【補正方法】変更
【補正の内容】
【００８４】
光ディスク装置１では、外部参照形式によりこれら複数の静止画ファイルをまとめてなるムービーファイルが形成され、これにより光ディスク装置１においては、それまでのインデックスファイルにおけるプロパティエントリファイルＥ１の記録に基づいて、単に、光ディスク２に記録されている静止画ファイルを指し示すように、ムービーファイルの静止画トラックＴ４を作成すればよく、これによりこのように複数の静止画ファイルをムービーファイルにまとめる処理を簡略化することができる。
【手続補正２８】
【補正対象書類名】明細書
【補正対象項目名】００８８
【補正方法】変更
【補正の内容】
【００８８】
またこのようなインデックスファイルの処理に係る静止画ファイルにあっては、ユーザーにより指示されたフォルダに属する静止画ファイルであることにより、フォルダ単位で、インデックスファイルのアプリケーションによる処理と、ＱＴムービーファイルのアプリケーションによる処理とで処理を切り換えて、サムネイル画像等によるファイルの一覧表示、各ファイルの再生等を実行し得、複数の静止画ファイルを１つのムービーファイルにまとめたインデックスファイルによる操作と同等のユーザーインターフェースを提供することができ、またこのようなユーザーインターフェースを提供するようにして光ディスク装置における処理を簡略化することができる。
【手続補正２９】
【補正対象書類名】明細書
【補正対象項目名】００９８
【補正方法】変更
【補正の内容】
【００９８】
すなわち図３との対比により図５に示すように、この実施例において、システム制御マイコン１９は、インデックスファイルの整理の処理に係る静止画ファイルより、静止画ファイルのデータをコピーしてムービーデータアトムに順次記録し（図５（Ａ）、（Ｂ）及び（Ｃ））、この静止画ファイルのデータを指し示すように、ムービーアトムに係る静止画トラックＴ４を設定する。またこのようにしてムービーファイルを作成して光ディスク２に記録すると、対応する静止画ファイルを光ディスク２から削除する。
【手続補正３０】
【補正対象書類名】図面
【補正対象項目名】図２
【補正方法】変更
【補正の内容】
【図２】
2005115709.tif 000008
【手続補正３１】
【補正対象書類名】図面
【補正対象項目名】図３
【補正方法】変更
【補正の内容】
【図３】
2005115709.tif 000009
【手続補正３２】
【補正対象書類名】図面
【補正対象項目名】図５
【補正方法】変更
【補正の内容】
【図５】
2005115709.tif 000010